(57)【特許請求の範囲】
【請求項１】
油圧回路から供給される油圧により係合する係合要素と、トルクコンバータから入力されるタービン回転数が所定変速段の同期回転数以上である場合に係合するワンウェイクラッチとを備え、前記係合要素および前記ワンウェイクラッチの両方が係合した状態で前記所定変速段を構成する自動変速機の制御装置であって、
前記自動変速機の前記油圧回路を制御して、前記自動変速機の前記係合要素を係合させる係合制御を実行し、
当該係合制御において、
当該係合制御の開始から所定条件が成立するまでの間、前記油圧回路を制御するための指示値を充填値に設定する充填処理と、
前記充填処理後、前記充填処理時よりも前記係合要素に供給される油圧が制限されるように、前記指示値を前記充填値から初期値に変更する初期処理とを実行し、
前記所定条件には、前記タービン回転数が前記同期回転数に応じて設定される判定値に上昇するという条件が含まれる、制御装置。
【発明の詳細な説明】
【技術分野】
【０００１】
本発明は、自動変速機の制御装置に関する。
【背景技術】
【０００２】
近年、エンジンを駆動源とする車両には、燃費の向上などの目的で、いわゆるアイドリングストップ制御が広く採用されている。アイドリングストップ制御では、たとえば、ブレーキペダルが運転者の足で踏み込まれて、ブレーキが作動し、車速が所定のアイドリングストップ実施車速以下に低下すると、エンジンが自動停止（アイドリングストップ）される。エンジンの自動停止後は、たとえば、ブレーキペダルから足が離されて、ブレーキが解除されると、エンジンが自動的に再始動（アイドリングストップから復帰）される。
【０００３】
アイドリングストップ制御を採用した車両において、変速機として、有段式の自動変速機（ＡＴ：Automatic Transmission）を搭載したものがある。自動変速機には、Ｐレンジ（駐車レンジ）、Ｒレンジ（後進レンジ）、Ｎレンジ（中立レンジ）およびＤレンジ（前進レンジ）が設けられている。これらのレンジは、車室内に配設されたシフトレバーの操作により選択され、その選択されたレンジに応じて、自動変速機に備えられているクラッチ（ブレーキ）が係合／解放される。具体的には、ＰレンジおよびＮレンジでは、すべてのクラッチが解放される。Ｒレンジでは、特定のクラッチが係合される。Ｄレンジでは、Ｒレンジで係合されるクラッチが解放され、それ以外のクラッチの係合および解放の組合せにより、複数の変速段が選択的に構成される。クラッチは、油圧により係合／解放される。
【０００４】
図７および図８は、アイドリングストップからの復帰時におけるエンジン回転数、タービン回転数および指示電流値の時間変化の一例を示す図である。図７は、アイドリングストップからの復帰時にタービン回転数が０である場合の一例を示し、図８は、アイドリングストップからの復帰時にタービン回転数が０でない場合の一例を示す。
【０００５】
エンジンを再始動させて、アイドリングストップから復帰するため、エンジンのクランキングが開始される（時刻Ｔ１０１）。そして、エンジンがクランキングされながら、エンジンの点火プラグがスパークされる。
【０００６】
アイドリングストップ中は、エンジンの動力により駆動される機械式オイルポンプが停止しているので、自動変速機の各クラッチから油圧が抜け、各クラッチが解放される。そのため、アイドリングストップからの復帰時には、自動変速機を制御する制御装置により、クラッチ（たとえば、シフトレバーがＤレンジに対応するＤポジションに位置する場合、１速段を構成するクラッチ）を係合させる係合制御が行われる。
【０００７】
係合制御では、たとえば、クラッチに供給される油圧を制御するためのソレノイドバルブがノーマルオープンタイプである場合、エンジンのクランキングの開始後もソレノイドバルブの指示電流値（ソレノイドバルブに供給される電流の目標値）が０に保持される。指示電流値が０に保持されることにより、ソレノイドバルブが全開に保持され、ソレノイドバルブに供給される油圧（機械式オイルポンプの発生油圧）の上昇に伴って、ソレノイドバルブからクラッチに供給される油圧が上昇する。
【０００８】
エンジンが完爆すると、エンジン回転数が上昇し、エンジン回転数の上昇に伴って、自動変速機に入力される回転数であるタービン回転数（トルクコンバータのタービンランナの回転数）が上昇する。充填処理は、タービン回転数がタービン回転判定値に上昇するか、または、エンジン回転数がエンジン回転判定値に上昇するまで続けられる（時間Ｔ１０１−Ｔ１０２）。エンジン回転判定値およびタービン回転判定値は、それぞれ一定値であり、エンジンおよびトルクコンバータが正常に作動する状態では、タービン回転数がタービン回転判定値に上昇するよりも後にエンジン回転数がエンジン回転判定値に達するような値に設定されている。
【０００９】
タービン回転数がタービン回転判定値に上昇すると、第１初期処理が実行される。第１初期処理では、ソレノイドバルブの指示電流値が０から第１初期電流値に上げられる（時刻Ｔ１０２）。その後、ソレノイドバルブの指示電流値が第１初期電流値に保持される。この間に、クラッチへのオイルの充填が完了する。クラッチへのオイルの充填が完了して、クラッチプレートとクラッチディスクとを圧接させて摩擦力を生じさせるためのピストンがクラッチプレートに当接すると、クラッチが滑りながら係合し始める。これに伴って、クラッチのトルク伝達容量が上昇し、タービン回転数が降下する。
【００１０】
タービン回転数が第１所定量降下すると、第２初期処理が実行される。第２初期処理では、ソレノイドバルブの指示電流値が第１初期電流値から第２初期電流値に上げられる（時刻Ｔ１０３）。その後、ソレノイドバルブの指示電流値が第２初期電流値に保持される。
【００１１】
タービン回転数の降下が進み、タービン回転数が第１所定量よりも大きい第２所定量降下すると（時刻Ｔ１０４）、スイープ処理が実行される。スイープ処理では、ソレノイドバルブの指示電流値が第２初期電流値からスイープにより一定の時間変化率で漸減される。
【００１２】
クラッチの係合が完了し、クラッチの滑りがなくなると、タービン回転数の降下が止まり、タービン回転数が１速同期回転数（１速段が構成されている状態での自動変速機のアウトプット回転数と同期する回転数）と一致する。このタービン回転数の同期が検出された時点（時刻Ｔ１０５）において、ソレノイドバルブの指示電流値が０でない場合には、指示電流値が０に下げられて、係合制御が終了される。
【先行技術文献】
【特許文献】
【００１３】
【特許文献１】特開２０１５−１１７７３８号公報
【発明の概要】
【発明が解決しようとする課題】
【００１４】
アイドリングストップからの復帰は、車両の停車中に限らず、車両の走行中に行われる場合もある。すなわち、アイドリングストップ後、車両が停車する前の走行中に、ブレーキペダルから足が離されて、アイドリングストップからの復帰となる場合がある。この場合、図８に示されるように、アイドリングストップからの復帰時にタービン回転数が０でなく、図７と比較して理解されるように、充填処理の開始後に短時間で、タービン回転数がタービン回転判定値に上昇して、充填処理が終了となる。そのため、充填処理におけるクラッチへのオイルの充填量が少なく、クラッチの係合制御の開始からクラッチが伝達トルク容量を持ち始めるまで（エンジンのクランキングの開始から車両が動き出すまで）のタイムラグが長くなる。これを回避するため、タービン回転判定値を大きな値に設定した場合、クラッチへのオイルの充填が過多となって、クラッチが伝達トルク容量を持ち始める時にショックが発生するおそれがある。
【００１５】
本発明の目的は、車両の走行中に係合制御が開始される場合にも、タイムラグの短縮とショックの抑制とを両立させることができる、自動変速機の制御装置を提供することである。
【課題を解決するための手段】
【００１６】
前記の目的を達成するため、本発明に係る自動変速機の制御装置は、油圧回路から供給される油圧により係合する係合要素と、トルクコンバータから入力されるタービン回転数が所定変速段の同期回転数以上である場合に係合するワンウェイクラッチとを備え、係合要素およびワンウェイクラッチの両方が係合した状態で所定変速段を構成する自動変速機の制御装置であって、自動変速機の油圧回路を制御して、自動変速機の係合要素を係合させる係合制御を実行し、当該係合制御において、当該係合制御の開始から所定条件が成立するまでの間、油圧回路を制御するための指示値を充填値に設定する充填処理と、充填処理後、充填処理時よりも係合要素に供給される油圧が制限されるように、指示値を充填値から初期値に変更する初期処理とを実行し、所定条件には、タービン回転数が同期回転数に応じて設定される判定値に上昇するという条件が含まれる。
【００１７】
この構成によれば、自動変速機の係合要素を係合させる係合制御では、まず、充填処理が実行される。充填処理では、その開始から所定条件が成立するまでの間、油圧回路を制御するための指示値が充填値に設定される。充填処理により、係合要素にオイルを早く充填することができ、係合要素の応答性の向上を図ることができる。所定条件が成立すると、初期処理が開始される。初期処理では、指示値が充填値から初期値に変更されることにより、係合要素に供給される油圧が充填処理時よりも制限される。
【００１８】
所定条件には、タービン回転数が判定値に上昇するという条件が含まれ、その判定値は、所定変速段の同期回転数に応じて設定される。同期回転数が車両の車速に対応するので、車両の走行中に係合制御が開始された場合、車両の停車中に係合制御が開始される場合と比較して、判定値が大きな値に設定される。そのため、車両の走行中に係合制御が開始された場合に、充填処理の開始後に短時間で、タービン回転数が判定値に上昇して充填処理が終了されることを抑制できる。その結果、充填処理の実行時間が長くなる。その結果、充填処理におけるクラッチへのオイルの充填量を確保することができ、係合制御の開始から終了までのタイムラグを短縮することができる。
【００１９】
また、タービン回転数が同期回転数に上昇するまでは、ワンウェイクラッチが係合せずに空転しているので、係合要素のピストンがプレートに当接しても、車両の駆動輪にトルクが伝達されないのでショックが発生しない。
【００２０】
よって、車両の走行中に係合制御が開始される場合にも、タイムラグの短縮と同期ショックの抑制とを両立させることができる。
【００２１】
所定条件には、タービン回転数が同期回転数に応じて設定される判定値に上昇するという条件以外に、エンジン回転数が所定のエンジン回転判定値に上昇するという条件が含まれてもよい。この場合、一方の条件が成立したことに応答して、充填処理が終了されて、初期処理が開始される。
【発明の効果】
【００２２】
本発明によれば、車両の走行中に係合制御が開始される場合にも、タイムラグの短縮と同期ショックの抑制とを両立させることができる。
【図面の簡単な説明】
【００２３】
【図１】本発明の一実施形態に係る制御装置が搭載された車両の要部の構成を示す図である。
【図２】車両の駆動系統の構成を示すスケルトン図である。
【図３】Ｐレンジ、Ｒレンジ、ＮレンジおよびＤレンジにおける各係合要素の状態を示す図である。
【図４Ａ】係合制御の内容を示すフローチャート（その１）である。
【図４Ｂ】係合制御の内容を示すフローチャート（その２）である。
【図５】アイドリングストップからの復帰時におけるエンジン回転数、タービン回転数および指示電流値の時間変化を示す図であり、１速同期回転数が相対的に低い場合の一例を示す。
【図６】アイドリングストップからの復帰時におけるエンジン回転数、タービン回転数および指示電流値の時間変化を示す図であり、１速同期回転数が相対的に高い場合の一例を示す。
【図７】従来の係合制御におけるエンジン回転数、タービン回転数および指示電流値の時間変化を示す図であり、アイドリングストップからの復帰時にタービン回転数が０である場合の一例を示す。
【図８】従来の係合制御におけるエンジン回転数、タービン回転数および指示電流値の時間変化を示す図であり、アイドリングストップからの復帰時にタービン回転数が０でない場合の一例を示す。
【発明を実施するための形態】
【００２４】
以下では、本発明の実施の形態について、添付図面を参照しつつ詳細に説明する。
【００２５】
＜車両の要部構成＞
図１は、本発明の一実施形態に係る制御装置が搭載された車両１の要部の構成を示す図である。
【００２６】
車両１は、エンジン２を駆動源とする自動車である。
【００２７】
エンジン２の出力は、トルクコンバータ３および有段式の自動変速機（ＡＴ：Automatic Transmission）４を介して、車両１の駆動輪（たとえば、左右の前輪）に伝達される。エンジン２には、エンジン２の燃焼室への吸気量を調整するための電子スロットルバルブ７１、燃料を吸入空気に噴射するインジェクタ（燃料噴射装置）７２および燃焼室内に電気放電を生じさせる点火プラグ７３などが設けられている。また、エンジン２には、その始動のためのスタータ（図示せず）が付随して設けられている。
【００２８】
車両１には、ＣＰＵ、ＲＯＭおよびＲＡＭなどを含む構成の複数のＥＣＵ（Electronic Control Unit：電子制御ユニット）が備えられている。ＥＣＵには、エンジンＥＣＵ１１、ＡＴＥＣＵ１２、ブレーキＥＣＵ１３およびＩＤＳ（アイドリングストップ）ＥＣＵ１４が含まれる。複数のＥＣＵは、ＣＡＮ（Controller Area Network）通信プロトコルによる双方向通信が可能に接続されている。
【００２９】
エンジンＥＣＵ１１には、アクセルセンサ２１、エンジン回転数センサ２２およびスロットル開度センサ２３などが接続されている。
【００３０】
アクセルセンサ２１は、運転者により操作されるアクセルペダル（図示せず）の操作量に応じた検出信号を出力する。エンジンＥＣＵ１１は、アクセルセンサ２１から入力される信号に基づいて、アクセルペダルの最大操作量に対する操作量の割合、つまりアクセルペダルが踏み込まれていないときを０％とし、アクセルペダルが最大に踏み込まれたときを１００％とする百分率であるアクセル開度を演算する。
【００３１】
エンジン回転数センサ２２は、エンジン２の回転（クランクシャフトの回転）に同期したパルス信号を検出信号として出力する。エンジンＥＣＵ１１は、エンジン回転数センサ２２から入力されるパルス信号の周波数をエンジン２の回転数（エンジン回転数）に換算する。
【００３２】
スロットル開度センサ２３は、電子スロットルバルブ７１の開度（スロットル開度）に応じた検出信号を出力する。
【００３３】
エンジンＥＣＵ１１は、各種センサの検出信号から取得した情報および／または他のＥＣＵから入力される種々の情報などに基づいて、エンジン２の始動、停止および出力調整のため、エンジン２に設けられた電子スロットルバルブ７１、インジェクタ７２および点火プラグ７３などを制御する。
【００３４】
ＡＴＥＣＵ１２には、シフトポジションセンサ２４およびタービン回転数センサ２５などが接続されている。
【００３５】
シフトポジションセンサ２４は、シフトレバー（セレクトレバー）のポジションに応じた検出信号を出力する。シフトレバーのポジションとして、たとえば、Ｐポジション（パーキングポジション）、Ｒポジション（リバースポジション）、Ｎポジション（ニュートラルポジション）およびＤポジション（ドライブポジション）が設けられている。Ｐポジション、Ｒポジション、ＮポジションおよびＤポジションは、それぞれＰレンジ、Ｒレンジ、ＮレンジおよびＤレンジに対応する。シフトレバーは、Ｐポジション、Ｒポジション、ＮポジションおよびＤポジションの間でシフト操作することができ、そのシフト操作により、レンジの切り替えを指示することができる。
【００３６】
タービン回転数センサ２５は、トルクコンバータ３のタービンランナ３２（図２参照）の回転に同期したパルス信号を検出信号として出力する。ＡＴＥＣＵ１２は、タービン回転数センサ２５から入力されるパルス信号の周波数をタービンランナ３２の回転数であるタービン回転数に換算する。
【００３７】
ＡＴＥＣＵ１２は、各種センサの検出信号から取得した情報および／または他のＥＣＵから入力される種々の情報などに基づいて、自動変速機４のレンジまたは変速段を変更するため、自動変速機４の各部に油圧を供給するための油圧回路７４に含まれるバルブを制御する。
【００３８】
バルブには、クラッチＣ２（図２参照）に供給される油圧を制御するためのＣ２ソレノイドバルブ７５などが含まれる。Ｃ２ソレノイドバルブ７５には、電流値により出力油圧を制御可能なバルブ、たとえば、ノーマルオープンタイプのリニアソレノイドバルブが用いられている。
【００３９】
ブレーキＥＣＵ１３には、ブレーキセンサ２６および車速センサ２７などが接続されている。
【００４０】
ブレーキセンサ２６は、車室内に配設されたブレーキペダルの操作量に応じた検出信号を出力する。
【００４１】
車速センサ２７は、たとえば、車両１の走行に伴って回転する磁性体からなるロータと、ロータと非接触に設けられた電磁ピックアップとを備えている。ロータが一定角度回転する度に、電磁ピックアップからパルス信号が検出信号として出力される。パルス信号の周波数は、車速に対応するので、ブレーキＥＣＵ１３は、車速センサ２７から入力されるパルス信号の周波数を車速に換算する。
【００４２】
ブレーキＥＣＵ１３は、各種センサの検出信号から取得した情報（ブレーキペダルの操作量、車両１の車速）および／または他のＥＣＵから入力される種々の情報などに基づいて、ブレーキアクチュエータ７６などを制御し、車両１の姿勢が安定に保たれた状態で車両１が制動されるように、各ブレーキから車輪に付与される制動力を制御する。
【００４３】
車両１は、アイドリングストップ機能を搭載している。ＩＤＳＥＣＵ１４は、アイドリングストップ機能のための制御であるアイドリングストップ制御を実行する。このアイドリングストップ制御に必要な情報として、ＩＤＳＥＣＵ１４には、ブレーキＥＣＵ１３から車速およびブレーキペダルの操作量などの情報が入力される。
【００４４】
アイドリングストップ制御では、車両１の走行中に、ブレーキペダルが操作される（踏み込まれる）と、ＩＤＳＥＣＵ１４により、所定のアイドリングストップ条件が成立しているか否かが繰り返し判断される。アイドリングストップ条件は、たとえば、車速が所定のアイドリングストップ実施車速（たとえば、１０ｋｍ／ｈ）以下であり、かつ、ブレーキペダルが一定時間以上操作されているという条件である。アイドリングストップ条件が成立すると、ＩＤＳＥＣＵ１４からエンジンＥＣＵ１１にＩＤＳ要求が出力され、エンジンＥＣＵ１１により、エンジン２が自動停止（アイドリングストップ）される。
【００４５】
アイドリングストップ中は、所定の再始動条件が成立しているか否かが繰り返し判断される。再始動条件は、たとえば、エンジン２の自動停止中に、ブレーキペダルの操作が解除される（ブレーキペダルから運転者の足が離される）という条件である。再始動条件が成立すると、ＩＤＳＥＣＵ１４からエンジンＥＣＵ１１に再始動要求が出力される。この再始動要求を受けて、エンジンＥＣＵ１１により、エンジン２が再始動（アイドリングストップから復帰）される。
【００４６】
＜駆動系統の構成＞
図２は、車両１の駆動系統の構成を示すスケルトン図である。
【００４７】
トルクコンバータ３は、ポンプインペラ３１、タービンランナ３２およびロックアップクラッチ３３を備えている。ポンプインペラ３１には、エンジン２の出力軸（Ｅ／Ｇ出力軸）が連結されており、ポンプインペラ３１は、Ｅ／Ｇ出力軸と同一の回転軸線を中心に一体的に回転可能に設けられている。タービンランナ３２は、ポンプインペラ３１と同一の回転軸線を中心に回転可能に設けられている。ロックアップクラッチ３３は、ポンプインペラ３１とタービンランナ３２とを直結／分離するために設けられている。ロックアップクラッチ３３が係合されると、ポンプインペラ３１とタービンランナ３２とが直結され、ロックアップクラッチ３３が解放されると、ポンプインペラ３１とタービンランナ３２とが分離される。
【００４８】
ロックアップクラッチ３３が解放された状態において、Ｅ／Ｇ出力軸が回転されると、ポンプインペラ３１が回転する。ポンプインペラ３１が回転すると、ポンプインペラ３１からタービンランナ３２に向かうオイルの流れが生じる。このオイルの流れがタービンランナ３２で受けられて、タービンランナ３２が回転する。このとき、トルクコンバータ３の増幅作用が生じ、タービンランナ３２には、Ｅ／Ｇ出力軸の動力（トルク）よりも大きな動力が発生する。
【００４９】
ロックアップクラッチ３３が係合された状態では、Ｅ／Ｇ出力軸が回転されると、Ｅ／Ｇ出力軸、ポンプインペラ３１およびタービンランナ３２が一体となって回転する。
【００５０】
トルクコンバータ３と自動変速機４との間には、オイルポンプ５が設けられている。オイルポンプ５のポンプ軸は、ポンプインペラ３１と一体的に回転可能に設けられている。これにより、エンジン２の動力によりポンプインペラ３１が回転されると、オイルポンプ５のポンプ軸が回転し、オイルポンプ５が油圧を発生する。油圧回路７４には、オイルポンプ５の発生油圧が供給される。
【００５１】
自動変速機４は、前進４段／後進１段の変速段を有する４速ＡＴである。自動変速機４は、インプット軸４１、アウトプット軸４２、センタ軸４３およびラビニヨ型の遊星歯車機構４４を備えている。
【００５２】
インプット軸４１は、トルクコンバータ３のタービンランナ３２に連結され、タービンランナ３２と同一の回転軸線を中心に一体的に回転可能に設けられている。
【００５３】
アウトプット軸４２は、インプット軸４１と平行に設けられている。
【００５４】
センタ軸４３は、インプット軸４１に対してエンジン２側と反対側に離間して、インプット軸４１と同一の回転軸線上に設けられている。
【００５５】
遊星歯車機構４４には、フロントサンギヤ５１、リヤサンギヤ５２、キャリア５３、リングギヤ５４、ロングピニオンギヤ５５およびショートピニオンギヤ５６が含まれる。フロントサンギヤ５１は、センタ軸４３に相対回転可能に外嵌されている。リヤサンギヤ５２は、フロントサンギヤ５１に対してエンジン２側と反対側に設けられ、センタ軸４３に相対回転可能に外嵌されている。キャリア５３には、センタ軸４３が接続され、キャリア５３は、センタ軸４３と一体的に回転可能に設けられている。キャリア５３は、ロングピニオンギヤ５５およびショートピニオンギヤ５６を回転可能に支持している。リングギヤ５４は、リヤサンギヤ５２の回転径方向の外側において、キャリア５３の周囲を取り囲む円環状を有し、ロングピニオンギヤ５５と噛合している。ロングピニオンギヤ５５は、ショートピニオンギヤ５６の軸長よりも長い軸長を有しており、フロントサンギヤ５１と噛合している。ショートピニオンギヤ５６は、リヤサンギヤ５２およびロングピニオンギヤ５５と噛合している。
【００５６】
リングギヤ５４には、第１出力ギヤ６１が共通の回転軸線を有するように保持されている。第１出力ギヤ６１には、アウトプット軸４２に相対回転不能に支持された第２出力ギヤ６２が噛合している。また、アウトプット軸４２には、第３出力ギヤ６３が相対回転不能に支持されており、第３出力ギヤ６３は、デファレンシャルギヤ６に備えられたリングギヤ６４と噛合している。これにより、リングギヤ５４の回転は、第１出力ギヤ６１、第２出力ギヤ６２、アウトプット軸４２および第３出力ギヤ６３を経由してデファレンシャルギヤ６に伝達される。
【００５７】
また、自動変速機４は、３個のクラッチＣ１〜Ｃ３、２個のブレーキＢ１，Ｂ２およびワンウェイクラッチＦを備えている。
【００５８】
クラッチＣ１は、インプット軸４１とフロントサンギヤ５１とを連結する係合状態（オン）と、その連結を解除する解放状態（オフ）とに切り替えられる。
【００５９】
クラッチＣ２は、インプット軸４１とリヤサンギヤ５２とを連結する係合状態（オン）と、その連結を解除する解放状態（オフ）とに切り替えられる。
【００６０】
クラッチＣ３は、インプット軸４１とセンタ軸４３（キャリア５３）とを連結する係合状態（オン）と、その連結を解除する解放状態（オフ）とに切り替えられる。
【００６１】
ブレーキＢ１は、フロントサンギヤ５１を制動する係合状態（オン）と、フロントサンギヤ５１の回転を許容する解放状態（オフ）とに切り替えられる。
【００６２】
ブレーキＢ２は、キャリア５３を制動する係合状態（オン）と、キャリア５３の回転を許容する解放状態（オフ）とに切り替えられる。
【００６３】
ワンウェイクラッチＦは、キャリア５３の正転（エンジン２の出力軸と同方向の回転）のみを許容する。
【００６４】
＜係合表＞
図３は、Ｐレンジ、Ｒレンジ、ＮレンジおよびＤレンジにおけるクラッチＣ１〜Ｃ３、ブレーキＢ１，Ｂ２およびワンウェイクラッチＦの状態を示す図である。
【００６５】
図３において、「○」は、クラッチＣ１〜Ｃ３、ブレーキＢ１，Ｂ２およびワンウェイクラッチＦが係合状態であることを示している。
【００６６】
ＰレンジおよびＮレンジでは、クラッチＣ１〜Ｃ３およびブレーキＢ１，Ｂ２が解放される。
【００６７】
Ｒレンジでは、クラッチＣ１およびブレーキＢ２が係合され、クラッチＣ２，Ｃ３およびブレーキＢ１が解放される。
【００６８】
Ｄレンジの１速段では、クラッチＣ２およびワンウェイクラッチＦが係合され、クラッチＣ１，Ｃ３およびブレーキＢ１，Ｂ２が解放される。
【００６９】
Ｄレンジの２速段では、クラッチＣ２およびブレーキＢ１が係合され、クラッチＣ１，Ｃ３およびブレーキＢ２が解放される。
【００７０】
Ｄレンジの３速段では、クラッチＣ２，Ｃ３が係合され、クラッチＣ１およびブレーキＢ１，Ｂ２が解放される。
【００７１】
Ｄレンジの４速段では、クラッチＣ３およびブレーキＢ１が係合され、クラッチＣ１，Ｃ２およびブレーキＢ２が解放される。
【００７２】
＜係合制御＞
図４Ａおよび図４Ｂは、係合制御の内容を示すフローチャートである。図５および図６は、アイドリングストップからの復帰時におけるエンジン回転数、タービン回転数および指示電流値の時間変化の一例を示す図である。図５は、１速同期回転数が相対的に低い場合の一例を示し、図６は、１速同期回転数が相対的に高い場合の一例を示す。
【００７３】
アイドリングストップ制御によりエンジン２が自動停止された後、エンジン再始動条件が成立すると、エンジン２を再始動させるために、エンジン２のクランキングが開始される（時刻Ｔ１）。そして、エンジン２がクランキングされながら、エンジン２の点火プラグ７３がスパークされる。
【００７４】
一方、エンジン２のクランキングの開始に応答して、シフトレバーがＤポジションに位置している場合、ＡＴＥＣＵ１２により、１速段を構成するクラッチＣ２を係合させるための係合制御が開始される（時刻Ｔ１）。係合制御では、ＡＴＥＣＵ１２により、以下に説明する各処理が実行される。
【００７５】
係合制御では、まず、充填処理が実行される（ステップＳ１）。
【００７６】
充填処理では、Ｃ２ソレノイドバルブ７５に供給される電流の目標値である指示電流値が０に保持される。エンジン２が完爆すると、エンジン回転数が上昇し、エンジン回転数の上昇に伴って、トルクコンバータ３のタービンランナ３２の回転数であるタービン回転数が上昇する。充填処理は、タービン回転数がタービン回転判定値に上昇するか、または、エンジン回転数がエンジン回転判定値に上昇するまで続けられる（時間Ｔ１−Ｔ２）。
【００７７】
充填処理の開始後、係合制御が所定変速段、つまり１速段を構成するための制御、つまりクラッチＣ２を係合させるための制御であるか否かが判断される（ステップＳ２）。
【００７８】
係合制御が１速段を構成するための制御である場合（ステップＳ２のＹＥＳ）、タービン回転判定値は、１速同期回転数に応じて設定される（ステップＳ３）。具体的には、タービン回転判定値は、１速同期回転数に所定の係数を乗じることにより設定されてもよいし、１速同期回転数から所定値を増ずる、または減じることにより設定されてもよい。１速同期回転数は、自動変速機４の変速段が１速段を構成する場合に、アウトプット軸４２（図２参照）の回転数と同期するインプット軸４１（図２参照）の回転数である。アウトプット軸４２の回転数は、車速センサ２７（図１参照）から出力されるパルス信号の周波数から求めることができ、また、アウトプット軸４２の回転に同期したパルス信号を検出信号として出力する回転センサを設けて、その回転センサから出力されるパルス信号の周波数から求めることもできる。ワンウェイクラッチＦは、タービン回転数が１速同期回転数以上である状態で係合し、タービン回転数が１速同期回転数未満である状態で係合せずに空転する。
【００７９】
係合制御が１速段を構成するための制御ではない場合（ステップＳ２のＮＯ）、タービン回転判定値が規定値に設定される（ステップＳ４）。
【００８０】
なお、ここで説明する係合制御が１速段を構成するクラッチＣ２を係合させるための制御に限定される場合、係合制御が１速段を構成するための制御であるか否かの判断（ステップＳ２）が省略されて、タービン回転判定値が常に１速同期回転数に応じた値に設定されてもよい。
【００８１】
エンジン回転判定値は、一定値である。
【００８２】
その後、タービン回転数がタービン回転判定値以上であるか否かが判断される（ステップＳ５）。
【００８３】
タービン回転数がタービン回転判定値未満である場合（ステップＳ５のＮＯ）、つづけて、エンジン回転数がエンジン回転判定値以上であるか否かが判断される（ステップＳ６）。
【００８４】
タービン回転数がタービン回転判定値以上であるか否かの判断およびエンジン回転数がエンジン回転判定値以上であるか否かが判断は、タービン回転数がタービン回転判定値に達するか、または、エンジン回転数がエンジン回転判定値に達するまで繰り返される。タービン回転数がタービン回転判定値に達するか（ステップＳ５のＹＥＳ）、または、エンジン回転数がエンジン回転判定値に達すると（ステップＳ６のＹＥＳ）、充填処理が終了となり、つづけて、第１初期処理が開始される（ステップＳ７）。図５には、タービン回転数がタービン回転判定値に達したことに応答して充填処理が終了される例が示され、図６には、エンジン回転数がエンジン回転判定値に達したことに応答して充填処理が終了される例が示されている。
【００８５】
第１初期処理では、Ｃ２ソレノイドバルブ７５の指示電流値が０である充填電流値から第１初期電流値に上げられる（時刻Ｔ２）。その後、Ｃ２ソレノイドバルブ７５の指示電流値が第１初期電流値に保持される。Ｃ２ソレノイドバルブ７５の指示電流値が第１初期電流値に保持されることにより、第１初期処理では、充填処理時よりもクラッチＣ２に供給される油圧が制限される。
【００８６】
第１初期処理が実行されている間、つまりＣ２ソレノイドバルブ７５の指示電流値が第１初期電流値に保持されている間に、クラッチＣ２へのオイルの充填が完了する。クラッチＣ２へのオイルの充填が完了して、ピストンがクラッチプレートに当接すると、クラッチＣ２が滑りながら係合し始めることにより、クラッチＣ２がトルク伝達容量を持ち始める。クラッチＣ２のトルク伝達容量の上昇に伴って、タービン回転数がピークから降下する。
【００８７】
第１初期処理の開始後、タービン回転数がピークから第１所定量（たとえば、３０ｒｐｍ）降下したか否かが繰り返し判断される（ステップＳ８）。
【００８８】
タービン回転数が第１所定量降下すると（ステップＳ８のＹＥＳ）、第１初期処理が終了となり、つづけて、第２初期処理が開始される（ステップＳ９）。
【００８９】
第２初期処理では、Ｃ２ソレノイドバルブ７５の指示電流値が第１初期電流値から第２初期電流値に上げられる（時刻Ｔ３）。その後、Ｃ２ソレノイドバルブ７５の指示電流値が第２初期電流値に保持される。
【００９０】
第２初期処理の開始後、タービン回転数がピークから第１所定量よりも大きい第２所定量（たとえば、５０ｒｐｍ）降下したか否かが繰り返し判断される（ステップＳ１０）。
【００９１】
タービン回転数の降下が進み、タービン回転数が第２所定量降下すると（ステップＳ１０のＹＥＳ）、第２初期処理が終了となり、スイープ処理が開始される（ステップＳ１１、時刻Ｔ４）。
【００９２】
スイープ処理では、Ｃ２ソレノイドバルブ７５の指示電流値が第２初期電流値からスイープにより一定の時間変化率（時間勾配）で漸減される。これにより、クラッチＣ２の係合が進み、タービン回転数の降下が進む。
【００９３】
スイープ処理の開始後、タービン回転数が１速同期回転数に一致したことが検出されたか否かが判定される（ステップＳ１２）。
【００９４】
クラッチＣ２の係合が進み、クラッチＣ２の滑りがなくなると、タービン回転数の降下が止まり、タービン回転数が１速同期回転数に一致すると（ステップＳ１２のＹＥＳ）、Ｃ２ソレノイドバルブ７５の指示電流値が０でない場合には、指示電流値が０に下げられて（時刻Ｔ５）、係合制御が終了される。
【００９５】
＜作用効果＞
以上のように、１速段を構成するクラッチＣ２を係合させる係合制御では、まず、充填処理が実行される。充填処理では、その開始から所定条件が成立するまでの間、Ｃ２ソレノイドバルブ７５に供給される電流の目標値である指示電流値が０（充填値）に設定される。充填処理により、クラッチＣ２にオイルを早く充填することができ、クラッチＣ２の応答性の向上を図ることができる。タービン回転数がタービン回転判定値に達するか、または、エンジン回転数がエンジン回転判定値に達すると、初期処理が開始される。初期処理では、指示値が０から第１初期電流値に変更されることにより、クラッチＣ２に供給される油圧が充填処理時よりも制限される。
【００９６】
タービン回転判定値は、１速段の同期回転数に応じて設定される。同期回転数が車両１の車速に対応するので、車両１の走行中に係合制御が開始された場合、車両１の停車中に係合制御が開始される場合と比較して、タービン回転判定値が大きな値に設定される。そのため、車両１の走行中に係合制御が開始された場合に、充填処理の開始後に短時間で、タービン回転数がタービン回転判定値に上昇して充填処理が終了されることを抑制できる。その結果、充填処理の実行時間が長くなる。その結果、充填処理におけるクラッチＣ２へのオイルの充填量を確保することができ、係合制御の開始から終了までのタイムラグを短縮することができる。
【００９７】
また、タービン回転数が同期回転数に上昇するまでは、ワンウェイクラッチＦが係合せずに空転しているので、クラッチＣ２のピストンがプレートに当接しても、車両１の駆動輪にトルクが伝達されないのでショックが発生しない。
【００９８】
よって、車両１の走行中に係合制御が開始される場合にも、タイムラグの短縮と同期ショックの抑制とを両立させることができる。
【００９９】
＜変形例＞
以上、本発明の一実施形態について説明したが、本発明は、他の形態で実施することもできる。
【０１００】
たとえば、Ｃ２ソレノイドバルブ７５に供給される電流の目標値である指示電流値は、クラッチＣ２に供給される油圧の目標値である指示油圧に対応するので、係合制御では、指示電流値の設定と同様に、指示油圧が係合制御における指示値として設定されてもよい。
【０１０１】
前述の各センサは、本発明に関連するセンサを例示したものに過ぎず、エンジンＥＣＵ１１、ＡＴＥＣＵ１２、ブレーキＥＣＵ１３およびＩＤＳＥＣＵ１４には、その他のセンサが接続されていてもよい。
【０１０２】
エンジンＥＣＵ１１、ＡＴＥＣＵ１２、ブレーキＥＣＵ１３およびＩＤＳＥＣＵ１４の機能の一部または全部は、１つのＥＣＵに集約されていてもよい。
【０１０３】
１速段を構成するための係合制御に本発明が適用される場合を取り上げたが、係合要素およびワンウェイクラッチの係合により１速段以外の変速段（たとえば、２速段）が構成される自動変速機では、当該変速段を構成するための係合制御に本発明が適用されてもよい。
【０１０４】
また、車両１が有段式の自動変速機４を搭載している構成を取り上げたが、本発明は、車両１の発進時に係合されるクラッチを備える無段変速機または動力分割式無段変速機を搭載した車両に適用することもできる。動力分割式無段変速機は、変速比の変更により動力を無段階に変速するベルト式の無段変速機構と、動力を一定の変速比で変速する一定変速機構とを備え、駆動源の動力を２系統に分割して伝達可能な変速機である。
【０１０５】
その他、前述の構成には、特許請求の範囲に記載された事項の範囲で種々の設計変更を施すことが可能である。
【符号の説明】
【０１０６】
３    トルクコンバータ
４    自動変速機
１２  ＡＴＥＣＵ（制御装置）
７４  油圧回路
７５  Ｃ２ソレノイドバルブ
Ｃ２  クラッチ（係合要素）
Ｆ    ワンウェイクラッチ
【図１】
0006599227.tif 000002
【図２】
0006599227.tif 000003
【図３】
0006599227.tif 000004
【図４Ａ】
0006599227.tif 000005
【図４Ｂ】
0006599227.tif 000006
【図５】
0006599227.tif 000007
【図６】
0006599227.tif 000008
【図７】
0006599227.tif 000009
【図８】
0006599227.tif 000010